(57)【要約】【課題】  記録品質がＯＫとされた記録済み光ディスクの信頼性をより高いものとできる光ディスク装置を提供する。【解決手段】  データの記録品質の確認処理を行なう際に、光ディスクに記録された記録データのアドレス情報部、同期情報部、及び付加情報部のそれぞれにエラーが含まれているかを検知し、エラーが含まれているときにそれぞれエラー情報を出力する第１、第２、及び第３のエラー検出部（１０８，１１１，１１３）を備えた構成とした。【選択図】図１
2006085886.tif 000002
【特許請求の範囲】
【請求項１】
光ディスクにデータを記録し、該光ディスクへのデータの記録品質の確認処理を行なう光ディスク装置において、
前記データの記録品質の確認処理を行なう際に、前記光ディスクに記録された記録データのアドレス情報部にエラーが含まれているかを検知し、エラーが含まれているときにエラー情報を出力するエラー検出手段を備えた、
ことを特徴とする光ディスク装置。
【請求項２】
請求項１記載の光ディスク装置において、
前記光ディスクは、記録可能なＤＶＤであり、
前記エラー検出手段は、記録データのデータＩＤ領域、又はＩＥＤ領域にエラーが含まれているかを検知し、前記エラー情報を出力する、
ことを特徴とする光ディスク装置。
【請求項３】
請求項１記載の光ディスク装置において、
前記光ディスクは、記録可能なＣＤであり、
前記エラー検出手段は、記録データのＨｅａｄｅｒ領域、又はＳｕｂＣｏｄｅ領域にエラーが含まれているかを検知し、前記エラー情報を出力する、
ことを特徴とする光ディスク装置。
【請求項４】
光ディスクにデータを記録し、該光ディスクへのデータの記録品質の確認処理を行なう光ディスク装置において、
前記データの記録品質の確認処理を行なう際に、前記光ディスクに記録された記録データの同期情報部にエラーが含まれているかを検知し、エラーが含まれているときにエラー情報を出力するエラー検出手段を備えた、
ことを特徴とする光ディスク装置。
【請求項５】
請求項４記載の光ディスク装置において、
前記光ディスクは、記録可能なＤＶＤであり、
前記エラー検出手段は、記録データのＳＹＮＣ領域（ＳＹ０〜ＳＹ７）にエラーが含まれているかを検知し、前記エラー情報を出力する、
ことを特徴とする光ディスク装置。
【請求項６】
請求項４記載の光ディスク装置において、
前記光ディスクは、記録可能なＣＤであり、
前記エラー検出手段は、記録データのＳＹＮＣ領域にエラーが含まれているかを検知し、前記エラー情報を出力する、
ことを特徴とする光ディスク装置。
【請求項７】
光ディスクにデータを記録し、該光ディスクへのデータの記録品質の確認処理を行なう光ディスク装置において、
前記データの記録品質の確認処理を行なう際に、前記光ディスクに記録された記録データの付加情報部にエラーが含まれているかを検知し、エラーが含まれているときにエラー情報を出力するエラー検出手段を備えた、
ことを特徴とする光ディスク装置。
【請求項８】
請求項７記載の光ディスク装置において、
前記光ディスクは、記録可能なＤＶＤであり、
前記エラー検出手段は、記録データのＲＳＶ領域にエラーが含まれているかを検知し、前記エラー情報を出力する、
ことを特徴とする光ディスク装置。
【請求項９】
請求項７記載の光ディスク装置において、
前記光ディスクは、記録可能なＣＤであり、
前記エラー検出手段は、記録データのＳｕｂＨｅａｄｅｒ領域にエラーが含まれているかを検知し、前記エラー情報を出力する、
ことを特徴とする光ディスク装置。
【請求項１０】
光ディスクにデータを記録し、該光ディスクへのデータの記録品質の確認処理を行なう光ディスク装置において、
前記データの記録品質の確認処理を行なう際に、前記光ディスクに記録された記録データのアドレス情報部、同期情報部、及び付加情報部のそれぞれにエラーが含まれているかを検知し、エラーが含まれているときにそれぞれエラー情報を出力する第１、第２、及び第３のエラー検出手段を備えた、
ことを特徴とする光ディスク装置。
【発明の詳細な説明】
【技術分野】
【０００１】
本発明は、記録可能な光ディスクにデータを記録し、該光ディスクへのデータの記録品質の確認処理を行なう光ディスク装置に関するものである。
【背景技術】
【０００２】
近年、ＤＶＤ−ＲＡＭ、ＤＶＤ−Ｒ／ＲＷ、ＤＶＤ＋Ｒ／ＲＷ、ＣＤ−Ｒ／ＲＷ等といった記録可能な光ディスクが次々と市販されており、ＰＣによるデータ保存やレコーダーによる映像・音楽の保存など、様々な用途に使用されている。その中でも、ＰＣ用途はデータのバックアップが主であり、記録データが将来においても半永久的に再生できる事が非常に重要になってきている。
【０００３】
記録品質を確認する手段はいろいろあるが、そのうちの一つにベリファイがある。この手段は通常の再生処理よりも厳しい条件で記録データを再生し、エラーバイト数をカウントして一定以上であればベリファイエラーとする。ベリファイエラーと判定されたディスクは記録品質が悪い事を示し、他社ドライブや将来において再生できなくなる可能性があるため、欠陥セクタとしてエラーを含むセクタを使用しない手法や、別セクタを使用する交代処理等でこの問題を回避していた。
【０００４】
また、不良セクタ判定法を変更する手法の１つとして、特許文献１では、光磁気ディスクにおいて重要な情報が記録される領域に対して、物理的なアドレスであるＰＩＤ（プロセスＩＤ）が読めない数を、規格では３セクタ中２〜３セクタでエラーとする条件を、３セクタ中１セクタでエラーとする等、不良セクタと判定する条件を厳しく設定して不良セクタの特定を行い、そのセクタにサーティファイを行うことで、交代処理に用いる時間短縮とデータの信頼性を向上させている。
【特許文献１】特開平６−１１１４９１号公報
【発明の開示】
【発明が解決しようとする課題】
【０００５】
特許文献１に開示された従来例は、ベリファイのエラー判定基準である１セクタ当たりのエラー数を少なくして規格で定義された判定基準を厳しくするものであるが、１セクタ当たりのエラー数が少なくても例えばＤＶＤの記録データのデータＩＤ領域やＩＥＤ（ＩＤ  Ｅｒｒｏｒ  Ｄｅｔｅｃｔｉｏｎ  ｃｏｄｅ）領域等のアドレス情報部にエラーが存在する場合は、アドレス未検出によるアドレス追従誤動作や、アドレス誤検出を引き起こし、その結果オフトラックを誤検出する可能性や、アドレス誤検出によって連続性が失われた事によりデータ再生処理中断が発生する可能性がある。ここで、光磁気ディスクは物理アドレスでデータ再生を行うので交代処理等を用いることによってデータ再生が可能となるが、ＤＶＤ−Ｒ／ＲＷ等のメディアは論理アドレスを用いてデータ再生を行うので、アドレス領域にエラーが存在すると少しの汚れの付着であってもデータ再生できなくなる可能性がある。
【０００６】
また、ＳＹＮＣ領域にエラーが存在した場合は、ＳＹＮＣ検出できないため、フレーム同期が乱れ、復調データが連続して乱れる可能性や、他社のドライブ等他のドライブでは再生できなくなる可能性がある。
【０００７】
また、例えばＣＤのＳｕｂＨｅａｄｅｒ領域にはＦｏｒｍ情報等の付加情報が格納されているが、この領域のデータにエラーが含まれている場合、Ｆｏｒｍ判定誤判別が発生しエラー訂正方法の違い等によりユーザーデータにエラーを含んでしまう等の問題が発生する可能性がある。
【０００８】
この発明は、上記の問題点を解消するためになされたもので、記録品質がＯＫとされた記録済み光ディスクの信頼性をより高いものとできる光ディスク装置を提供することを目的とする。
【課題を解決するための手段】
【０００９】
本願の請求項１に係る発明は、光ディスクにデータを記録し、該光ディスクへのデータの記録品質の確認処理を行なう光ディスク装置において、前記データの記録品質の確認処理を行なう際に、前記光ディスクに記録された記録データのアドレス情報部にエラーが含まれているかを検知し、エラーが含まれているときにエラー情報を出力するエラー検出手段を備えた、ことを特徴とするものである。これにより、記録品質の確認処理において、正しいアドレスが連続して取得できる光ディスクに対して記録品質がＯＫとされるので、記録品質がＯＫとされた記録済み光ディスクの信頼性をより高いものとできる。
【００１０】
また、本願の請求項２に係る発明は、請求項１記載の光ディスク装置において、前記光ディスクは、記録可能なＤＶＤであり、前記エラー検出手段は、記録データのデータＩＤ領域、又はＩＥＤ領域にエラーが含まれているかを検知し、前記エラー情報を出力する、ことを特徴とするものである。これにより、記録品質の確認処理において、正しいアドレスが連続して取得できる光ディスクに対して記録品質がＯＫとされるので、記録品質がＯＫとされた記録済み光ディスクの信頼性をより高いものとできる。
【００１１】
また、本願の請求項３に係る発明は、請求項１記載の光ディスク装置において、前記光ディスクは、記録可能なＣＤであり、前記エラー検出手段は、記録データのＨｅａｄｅｒ領域、又はＳｕｂＣｏｄｅ領域にエラーが含まれているかを検知し、前記エラー情報を出力する、ことを特徴とするものである。これにより、記録品質の確認処理において、正しいアドレスが連続して取得できる光ディスクに対して記録品質がＯＫとされるので、記録品質がＯＫとされた記録済み光ディスクの信頼性をより高いものとできる。
【００１２】
また、本願の請求項４に係る発明は、光ディスクにデータを記録し、該光ディスクへのデータの記録品質の確認処理を行なう光ディスク装置において、前記データの記録品質の確認処理を行なう際に、前記光ディスクに記録された記録データの同期情報部にエラーが含まれているかを検知し、エラーが含まれているときにエラー情報を出力するエラー検出手段を備えた、ことを特徴とするものである。これにより、記録品質の確認処理において、正しい同期信号を取得できる光ディスクに対して記録品質がＯＫとされるので、記録品質がＯＫとされた記録済み光ディスクの信頼性をより高いものとできる。
【００１３】
また、本願の請求項５に係る発明は、請求項４記載の光ディスク装置において、前記光ディスクは、記録可能なＤＶＤであり、前記エラー検出手段は、記録データのＳＹＮＣ領域（ＳＹ０〜ＳＹ７）にエラーが含まれているかを検知し、前記エラー情報を出力する、ことを特徴とするものである。これにより、記録品質の確認処理において、正しい同期信号を取得できる光ディスクに対して記録品質がＯＫとされるので、記録品質がＯＫとされた記録済み光ディスクの信頼性をより高いものとできる。
【００１４】
また、本願の請求項６に係る発明は、請求項４記載の光ディスク装置において、前記光ディスクは、記録可能なＣＤであり、前記エラー検出手段は、記録データのＳＹＮＣ領域にエラーが含まれているかを検知し、前記エラー情報を出力する、ことを特徴とするものである。これにより、記録品質の確認処理において、正しい同期信号を取得できる光ディスクに対して記録品質がＯＫとされるので、記録品質がＯＫとされた記録済み光ディスクの信頼性をより高いものとできる。
【００１５】
また、本願の請求項７に係る発明は、光ディスクにデータを記録し、該光ディスクへのデータの記録品質の確認処理を行なう光ディスク装置において、前記データの記録品質の確認処理を行なう際に、前記光ディスクに記録された記録データの付加情報部にエラーが含まれているかを検知し、エラーが含まれているときにエラー情報を出力するエラー検出手段を備えた、ことを特徴とするものである。これにより、記録品質の確認処理において、正常な付加情報が記録されている光ディスクに対して記録品質がＯＫとされるので、記録品質がＯＫとされた記録済み光ディスクの信頼性をより高いものとできる。
【００１６】
また、本願の請求項８に係る発明は、請求項７記載の光ディスク装置において、前記光ディスクは、記録可能なＤＶＤであり、前記エラー検出手段は、記録データのＲＳＶ領域にエラーが含まれているかを検知し、前記エラー情報を出力する、ことを特徴とするものである。これにより、記録品質の確認処理において、正常な付加情報が記録されている光ディスクに対して記録品質がＯＫとされるので、記録品質がＯＫとされた記録済み光ディスクの信頼性をより高いものとできる。
【００１７】
また、本願の請求項９に係る発明は、請求項７記載の光ディスク装置において、前記光ディスクは、記録可能なＣＤであり、前記エラー検出手段は、記録データのＳｕｂＨｅａｄｅｒ領域にエラーが含まれているかを検知し、前記エラー情報を出力する、ことを特徴とするものである。これにより、記録品質の確認処理において、正常な付加情報が記録されている光ディスクに対して記録品質がＯＫとされるので、記録品質がＯＫとされた記録済み光ディスクの信頼性をより高いものとできる。
【００１８】
また、本願の請求項１０に係る発明は、光ディスクにデータを記録し、該光ディスクへのデータの記録品質の確認処理を行なう光ディスク装置において、前記データの記録品質の確認処理を行なう際に、前記光ディスクに記録された記録データのアドレス情報部、同期情報部、及び付加情報部のそれぞれにエラーが含まれているかを検知し、エラーが含まれているときにそれぞれエラー情報を出力する第１、第２、及び第３のエラー検出手段を備えた、ことを特徴とするものである。これにより、記録品質の確認処理において、正しいアドレスが連続して取得でき、正しい同期信号を取得でき、かつ正常な付加情報が記録されている光ディスクに対して記録品質がＯＫとされるので、記録品質がＯＫとされた記録済み光ディスクの信頼性をより高いものとできる。
【発明の効果】
【００１９】
本発明に係る光ディスク装置によれば、データの記録品質の確認処理を行なう際に、光ディスクに記録された記録データのアドレス情報部、同期情報部、付加情報部にエラーが含まれているかを検知し、エラーが含まれているときにエラー情報を出力する構成としたから、記録品質の確認処理において記録品質がＯＫとされた記録済み光ディスクの信頼性をより高いものとできる。
【発明を実施するための最良の形態】
【００２０】
以下、本発明の実施の形態について、図面を参照して説明する。
図１は本発明の実施の形態１に係る光ディスク装置の全体構成を示すブロック図である。図１において、１０１は光ディスク、１０２は光ディスク１０１を回転駆動するスピンドルモータ、１０３は、レーザーの照射および反射光の受光により、光ディスク１０１に対するデータの記録および再生を行う光学ヘッドである。１０４は光ディスク１０１に埋め込まれている物理アドレスを検知、検出する物理アドレス検出部、１０５は物理アドレス検出部１０４で検出された物理アドレスからセクタアドレスを決定する物理アドレス取得部、１０６は光ディスク１０１に記録されている論理アドレスを検知、検出する論理アドレス検出部、１０７は論理アドレス検出部１０６で検出された論理アドレスからセクタアドレスを決定する論理アドレス取得部である。また、１０８は論理アドレスにエラーが存在した場合にそのエラー情報を図示しないファームウエア（Ｆ／Ｗ）に通知する第１のエラー検出部である。また、１０９は記録再生データにおける各フレームの先頭位置を検出するフレーム先頭位置検出部、１１０は復調部、１１１は同期信号にエラーが存在した場合にそのエラー情報を図示しないＦ／Ｗに通知する第２のエラー検出部である。１１２は復調されたデータのエラー訂正を行なうエラー訂正部、１１３は付加情報にエラーが存在した場合にそのエラー情報を図示しないＦ／Ｗに通知する第３のエラー検出部である。１１４は再生データを一時的に保存するデータバッファ部である。
【００２１】
以下、本実施の形態による光ディスク装置の動作について説明する。
図１において、光学ヘッド１０３は、レーザーの照射および反射光の受光により、光ディスク１０１に対するデータの記録および再生を行う。物理アドレス検出部１０４は、光ディスク１０１に対する再生処理中に光学ヘッド１０３から得られる反射光を用いて、光ディスク１０１に埋め込まれている物理アドレスを検知し、その位置を検出する。ここで、光ディスクがＤＶＤ−ＲＡＭの時はＣＡＰＡ（Ｃｏｍｐｌｉｍｅｎｔａｒｙ  Ａｌｌｏｃａｔｅｄ  Ｐｉｔ  Ａｄｄｒｅｓｓｉｎｇ）、ＤＶＤ−Ｒ／ＲＷの時はＬＰＰ（Ｌａｎｄ  Ｐｒｅ−Ｐｉｔ）、ＤＶＤ＋Ｒ／ＲＷの時はＡＤＩＰ（Ａｄｄｒｅｓｓ  Ｉｎ  Ｐｒｅ−Ｇｒｏｏｖｅ）、ＣＤ−Ｒ／ＲＷの時はＡＴＩＰ（Ａｂｓｏｌｕｔｅ  Ｔｉｍｅ  Ｉｎ  Ｐｒｅ−Ｇｒｏｏｖｅ）、等を物理アドレスとして検出する。
【００２２】
物理アドレス取得部１０５は、物理アドレス検出部１０４で検出された物理アドレスからセクタアドレスを決定する。物理アドレスが検出できなかった（未検出）場合や連続したアドレスが検出できなかった（誤検出）場合はアドレスを補完する等の処理を施してアドレスを決定する。連続してアドレスが検出できないセクタ続いた場合や、これまで追従していたアドレスとは違ったアドレスで連続したアドレスが検出できた（トラックジャンプやオフトラック等）場合等はアドレスＮＧとし、再生処理を中断する処理に移行する。
【００２３】
論理アドレス検出部１０６は、光ディスク１０１に対する再生処理中に光学ヘッド１０３から得られる反射光の信号から記録データを読み出し、光ディスク１０１に記録されている論理アドレスを検知し、その位置を検出する。ここで、光ディスクが記録可能なＣＤである場合は、論理アドレスとして、Ｈｅａｄｅｒ領域のＭＳＦ（Ｍｉｎｕｔｅ  Ｓｅｃｏｎｄ  Ｆｒａｍｅ）やＳｕｂＣｏｄｅ領域のＳｕｂＱ（サブコードＱ）等を検出し、また、光ディスクが記録可能なＤＶＤである場合は、論理アドレスとして、データＩＤ等を検出する。
【００２４】
論理アドレス取得部１０７は、論理アドレス検出部１０６で検出された論理アドレスからセクタアドレスを決定する。論理アドレスが検出できなかった（未検出）場合や連続したアドレスが検出できなかった（誤検出）場合はアドレスを補完する等の処理を施してアドレスを決定する。連続してアドレスが検出できないセクタ続いた場合や、これまで追従していたアドレスとは違ったアドレスで連続したアドレスが検出できた（トラックジャンプやオフトラック等）場合等はアドレスＮＧとし、再生処理を中断する処理に移行する。従来のベリファイ処理では、アドレス未検出や誤検出が存在した場合においても補完できるレベルであればベリファイ結果ＯＫと判定していたが、本実施の形態による光ディスク装置におけるベリファイ処理では、第１のエラー検出部１０８が、論理アドレスにエラーが存在した場合に、エラーが存在する事を示す情報やエラーセクタアドレス等の情報を含むエラー情報を取得し、これを図示しないファームウエア（Ｆ／Ｗ）に通知する。
【００２５】
フレーム先頭位置検出部１０９は、記録再生データにおける各フレームの先頭位置を検出する。このフレーム先頭位置検出部１０９は、記録再生データに含まれるそれぞれのフレームの同期信号（ＳＹＮＣ）を検知することで、フレームの先頭位置の検出を行う。フレーム先頭位置の検出方法は光学ヘッド１０３から得られる反射光信号に含まれるデータ信号から同期信号を検知することでフレーム先頭位置の検出を行う。その際に、規格とは異なった信号が検出されるとフレーム未検出や誤検出が発生し、フレーム同期の乱れが発生し、復調データが連続して乱れる可能性がある。従来のベリファイ処理は同期信号に関して特にチェックは行っていなかったが、本実施の形態による光ディスク装置におけるベリファイ処理では、第２のエラー検出部１１１が、同期信号にエラーが存在した場合に、エラーが存在する事を示す情報やエラーセクタアドレス等の情報を含むエラー情報を取得し、これを図示しないファームウエア（Ｆ／Ｗ）に通知する。
【００２６】
復調部１１０は、フレーム先頭位置検出部１０９から送られた正常な同期信号から次の同期信号までのデータを復調する。ここで光ディスクがＤＶＤである時は８−１６復調を行ない、光ディスクがＣＤである時は８−１７復調を行なう。エラー訂正部１１２は、復調部１１０によって復調されたデータに含まれる誤りデータを例えばＥＣＣ（Ｅｒｒｏｒ  Ｃｏｒｒｅｃｔｉｏｎ  ｃｏｄｅ）を用いて訂正する。
【００２７】
エラー検出部１１３は、各セクタにおいてエラー訂正部１１２によって訂正されたデータ数をカウントしてゆき、従来のベリファイ処理と同様に、このカウント数がファームウエア（Ｆ／Ｗ）で設定されたエラー数以上であった場合にベリファイ結果ＮＧと判定する。また、第３のエラー検出部１１３は、付加情報にエラーが存在した場合に、エラーが存在する事を示す情報やエラーセクタアドレス等の情報を含むエラー情報を取得し、これを図示しないファームウエア（Ｆ／Ｗ）に通知する。
【００２８】
データバッファ部１１４は、再生データを一時的に保存する。なお、エラー訂正部１１２とデータバッファ部１１４は順序を逆にして、復調部１１０で復調したデータをデータバッファ部１１４に一旦保存した後に、エラー訂正部１１２でエラー訂正を行う構成としてもよい。
【００２９】
図２、図３は本実施の形態による光ディスク装置のベリファイ処理において重み付けを行うデータ部分を示す図である。図２（ａ）はＤＶＤのセクタフォーマットを示し、図２（ｂ）はセクタのフレーム構成を示す。２０１はＤＶＤのアドレス情報が格納されているデータＩＤ領域とＩＥＤ領域である。図２（ａ）において、ＲＳＶ（Ｒｅｓｅｒｖｅ）領域はＤＶＤのセクタフォーマットに設けられた予備領域であり、付加情報の記録に用いることができる。２０２はＤＶＤのフレーム同期を取るための同期信号が格納されているＳＹＮＣ領域である。図２（ｂ）において、データフレームの右端には、エラー訂正処理に用いるＥＣＣ（Ｅｒｒｏｒ  Ｃｏｒｒｅｃｔｉｏｎ  ｃｏｄｅ）が付加されている。図３はＣＤのセクタフォーマットを示す図である。２０３はＣＤのセクタ同期をとるための信号が格納されているＳＹＮＣ領域である。２０４はＣＤのアドレス情報とＭＯＤＥ情報が格納されているＨｅａｄｅｒ領域である。２０５はファイル番号やチャネル番号など、記録されたデータの内容に関する情報が格納されているＳｕｂＨｅａｄｅｒ領域である。２０６はアドレス情報であるサブコードＱが格納されているＳｕｂＣｏｄｅ領域である。図２、図３中の２０１〜２０６で示した情報は全て再生時に必要な情報であり、エラーが含まれていると再生処理に問題が発生する。本実施の形態ではこれらの信号にエラーが検出された時には、エラーが含まれていることを示す情報やエラーセクタアドレス等の情報を含むエラー情報をファームウエア（Ｆ／Ｗ）に通知する。
【００３０】
図４は本実施の形態による光ディスク装置で記録可能なＤＶＤにデータを記録し、このデータの記録品質の確認処理（ベリファイ処理）を行なう際のベリファイ結果通知のアルゴリズムの一例を示すフローチャート図である。図４のフローチャートにおける各ステップの動作を以下に説明する。ここで、ファームウエア（Ｆ／Ｗ）へのエラー通知方法は、例として、正常なら変数に０を設定、エラーならエラーが含まれている領域によって設定値を変更する仕様とする（以下これをステータスと表記する。）。エラー通知方法はステータスによる通知に限らず、レジスタへの値設定による通知方法、信号による通知方法等でも実現可能である。
【００３１】
まず、ステップＳ１において、再生データの中からＳＹＮＣデータ（ＳＹ０〜ＳＹ７）のチェックを行い、規格で定義されているデータと異なるデータが検出された場合に、エラーステータスをセットする。
【００３２】
次に、ステップＳ２において、再生データの中からデータＩＤとＩＥＤデータのチェックを行い、前のセクタのデータＩＤと比較して、インクリメントされた値でなかった場合に、エラーステータスをセットする。
【００３３】
この後、ステップＳ３において、従来例と同様のベリファイ処理である１セクタ当たりのエラー数をチェックし、ファームウエア（Ｆ／Ｗ）で設定された値を超えた場合に、エラーステータスをセットする。
【００３４】
ステップＳ１〜Ｓ３までにおいて、エラー検出できなかった場合は、そのセクタはベリファイＯＫと判定し、正常ステータスをファームウエア（Ｆ／Ｗ）へ通知する（ステップＳ４）。正常ステータスであったセクタに関しては、高い信頼性を持ってデータ再生可能である事を示す。
【００３５】
ステップＳ１〜Ｓ３までにおいて、エラーを検出した場合は、セットされたエラーステータスによってエラーが存在する事と、どの部分においてエラーであったかの情報をファームウエア（Ｆ／Ｗ）へ通知する（ステップＳ５）。エラーステータスであったセクタに関しては、何らかのエラー情報を含んでいる事を示す。
【００３６】
なお、上記アルゴリズムの例では、記録データの同期情報部のチェック（ステップＳ１）、記録データのアドレス情報部のチェック（ステップＳ２）、及び従来例と同様のベリファイ処理である１セクタ当たりのエラー数のチェック（ステップＳ３）を行なうものについて示したが、ＲＳＶ領域に付加情報を記録し、この付加情報のチェックを行なう場合には、アドレス情報部のチェック（ステップＳ２）と１セクタ当たりのエラー数のチェック（ステップＳ３）との間にこれを行なうようにすればよい。
【００３７】
以上のように、本実施の形態による光ディスク装置によれば、データの記録品質の確認処理を行なう際に、光ディスクに記録された記録データのアドレス情報部にエラーが含まれているかを検知し、エラーが含まれているときにエラー情報を出力する第１のエラー検出部１０８と、光ディスクに記録された記録データの同期情報部にエラーが含まれているかを検知し、エラーが含まれているときにエラー情報を出力する第２のエラー検出部１１１と、光ディスクに記録された記録データの付加情報部にエラーが含まれているかを検知し、エラーが含まれているときにエラー情報を出力する第３のエラー検出部１１３とを備え構成としたから、記録品質の確認処理において、正しいアドレスが連続して取得でき、正しい同期信号を取得でき、かつ正常な付加情報が記録されている光ディスクに対して記録品質がＯＫとされるので、記録品質がＯＫとされた記録済み光ディスクの信頼性をより高いものとできる効果がある。
【００３８】
なお、上記実施の形態では、アドレス情報部のエラーを検知する第１のエラー検出部、同期情報部のエラーを検出する第２のエラー検出部、及び付加情報部のエラーを検出する第３のエラー検出部、の３つのエラー検出部を備えた構成としたが、上記第１，第２，第３のエラー検出部のうちのいずれか１つのみ、あるいは、上記第１，第２，第３のエラー検出部のうちのいずれか２つのみを備えた構成としてもよい。
【産業上の利用可能性】
【００３９】
本発明は記録型メディアに対して記録可能なドライブに対して有用である。また、ＤＶＤレコーダー等にも応用できる。
【図面の簡単な説明】
【００４０】
【図１】実施の形態で示した光ディスク装置の全体構成を示すブロック図
【図２】ＤＶＤの場合におけるエラー検出を行うデータを示す説明図
【図３】ＣＤの場合におけるエラー検出を行うデータを示す説明図
【図４】エラー検出を行う処理の流れを示したフローチャート図
【符号の説明】
【００４１】
１０１    光ディスク
１０２    スピンドルモータ
１０３    光学ヘッド
１０４    物理アドレス検出部
１０５    物理アドレス取得部
１０６    論理アドレス検出部
１０７    論理アドレス取得部
１０８    第１のエラー検出部
１０９    フレーム先頭位置検出部
１１０    復調部
１１１    第２のエラー検出部
１１２    エラー訂正部
１１３    第３のエラー検出部
１１４    データバッファ部
【図１】
2006085886.tif 000003
【図２】
2006085886.tif 000004
【図３】
2006085886.tif 000005
【図４】
2006085886.tif 000006